(57)【特許請求の範囲】
【請求項１】
多目的歩行者本位立体駐車場であって、
第１の側面および対向する第２の側面を有する第１の駐車場ユニットであって、当該側面のうちの少なくとも１つの側面で前記第１の駐車場ユニットを取り囲むライナー・ビルディングおよびこのライナー・ビルディングにアクセスする手段を有し、さらに一方向駐車場アクセス通路を有する複数層駐車場と、一方向上昇傾斜路（ランプ）と、中央アトリウムとを有するものである、前記第１の駐車場ユニットと、
前記第１の駐車場ユニットの第１の側面に面した第１の側面および対向する第２の側面を有する第２の駐車場ユニットであって、当該側面のうちの少なくとも１つの側面で前記第２の駐車場ユニットを取り囲むライナー・ビルディングおよびこのライナー・ビルディングにアクセスする手段を有し、さらに一方向駐車場アクセス通路を有する複数層駐車場と、一方向下降傾斜路（ランプ）と、中央アトリウムとを有するものである、前記第２の駐車場ユニットと、
前記第１の駐車場ユニットの第１の側面から前記第２の駐車場ユニットの第１の側面に延出された歩行者用地上スペースと、
前記第１および第２の駐車場ユニットの第１の側面を地上階よりも上の階で接続する自動車横断ランプと、
前記第１の駐車場ユニットの第１の側面以外の側面に設けられ、且つ前記歩行者用地上スペースから間隔を置いて設けられた地上階の入口であって、前記第１の駐車場ユニットの一方向上昇ランプにつながっているものである前記入口と、
前記第２の駐車場ユニットの第１の側面以外の側面に設けられ、且つ前記歩行者用地上スペースから間隔を置いて設けられた地上階の出口であって、前記第２の駐車場ユニットの一方向下降ランプにつながっているものである前記出口と、
を有する多目的歩行者本位立体駐車場。
【請求項２】
請求項１記載の立体駐車場において、この立体駐車場は、さらに、
前記自動車横断ランプより下方に位置し、前記自動車横断ランプより下方で且つ前記地上階よりも上方の階層で前記第１および第２の駐車場ユニットの第１の側面を接続する多目的横断路を有するものである。
【請求項３】
請求項１記載の立体駐車場において、この立体駐車場は、さらに、
前記第１および第２の駐車場ユニットの第１の側面の間に、前記自動車横断ランプの下方に並列して並んだ、地上階の屋根付き横断路または混合モード通路を有するものである。
【請求項４】
請求項１記載の立体駐車場において、前記入口は前記第１の駐車場ユニットの第２の側面に位置しているものである。
【請求項５】
請求項１記載の立体駐車場において、前記出口は前記第２の駐車場ユニットの第２の側面に位置しているものである。
【請求項６】
請求項１記載の立体駐車場において、前記入口および前記出口は前記立体駐車場の対向する側面に設けられているものである。
【請求項７】
請求項１記載の立体駐車場において、この立体駐車場は、さらに、
前記複数層駐車場で、各前記駐車場ユニットの前記中央アトリウムの周囲に位置付けられた斜め駐車スペースを有するものである。
【請求項８】
請求項７記載の立体駐車場において、この立体駐車場は、さらに、
前記複数層駐車場で、各前記駐車場ユニットの外縁に沿って縦列駐車スペースを有するものである。
【請求項９】
請求項７記載の立体駐車場において、前記中央アトリウムは幅の狭い略長方形である。
【請求項１０】
請求項７記載の立体駐車場において、この立体駐車場は、さらに、
前記中央アトリウム内に木や他の観葉植物を有するものである。
【請求項１１】
請求項７記載の立体駐車場において、前記駐車場ユニットの前記中央アトリウム内に構造的支柱が配置されてなるものである。
【請求項１２】
請求項１記載の立体駐車場において、前記駐車場ユニット内に影ができるのを避けるためおよび使用者に対する安全性を高めるため、前記駐車場ユニットの周囲に構造的支柱が配置されてなるものである。
【請求項１３】
請求項１記載の立体駐車場において、前記第１および第２の駐車場ユニットのぞれぞれは、前記複数層駐車場の各前記駐車場ユニットと個々のライナー・ビルディングとの間の接続部分を定義する緩衝通路を有し、各前記ライナー・ビルディングは前記緩衝通路と共に少なくとも１つの共有壁を有し、この共有壁は前記ライナー・ビルディングへ行き来するアクセス手段を有するものである。
【請求項１４】
請求項１３記載の立体駐車場において、前記ライナー・ビルディングのそれぞれは、前記少なくとも１つの共有壁に隣接する少なくとも１つの通路を有するものである。
【請求項１５】
請求項１３記載の立体駐車場において、前記緩衝通路はＨＶＡＣ設備を有するものである。
【請求項１６】
請求項１記載の立体駐車場において、前記ライナー・ビルディングのそれぞれは、各駐車場ユニットの少なくとも２つの側面を囲んでいるものである。
【発明の詳細な説明】
【技術分野】
【０００１】
本発明は、駐車場に関し、具体的には、立体駐車場の各壁面および多目的歩行者本位立体駐車場の外側周囲のライナー・ビルディング内の小売スペース、商用オフィス、居住スペース、通路、およびその他の施設内での歩行者の活動を促進し、それらへのアクセスを容易にする、創意的な立体駐車場に関するものである。
【背景技術】
【０００２】
従来、多階層駐車施設は設計および構造においてほとんど同じであり、これらの例としては１９９３年にＨｏｔｔａらに与えらた米国特許第５，２３４，３０５号の「Ｍｕｌｔｉ−Ｓｔｏｒｙ  Ｐａｒｋｉｎｇ  Ｆａｃｉｌｉｔｙ」、１９９８年にＫａｕｍａｎらに与えられた米国特許第５，７４９，１８６号の「Ｍｕｌｔｉ−Ｓｔｏｒｙ  Ｂｕｉｌｄｉｎｇ  Ｃｏｍｐｌｅｘ  Ｗｉｔｈ  Ａｃｃｅｓｓ  Ｂｅｔｗｅｅｎ  Ｇａｒａｇｅ，Ｂｕｉｌｄｉｎｇ  Ｄｅｃｋｓ  Ａｎｄ  Ｅａｃｈ  Ｆｌｏｏｒ  Ａｔ  Ｓａｍｅ  Ｅｌｅｖａｔｉｏｎ」、および２００１年にＪｏｈｎｓｔｏｎに与えられた米国特許第６，２０９，２７０号の「Ｍｕｌｔｉ−Ｌｅｖｅｌ  Ｂｕｉｌｄｉｎｇ  Ｗｉｔｈ  Ｒａｍｐ」が挙げられる。それらすべての例において、そのような設計では車を、駐車場を通り抜ける対面交通式の通路の両側に直角に駐車する。そこでは、所定の複数層駐車場と関連する多層建物は、前記駐車場に対して特に何も補足的関係の定義を行なわない。つまり、それに関して従来技術では、３つの最も重要な事を扱っており、すなわち、一定の時間に可能な出入口の最大車両数、第２に駐車場の平方フィート（単位面積）当たりの最大駐車車両数、最後にアクセスのための仕組み、典型的には駐車場のある片面からそれに併設する多層建物へのアクセスの仕組みである。
【０００３】
本発明は上記の問題を扱っているが、より重要なことは、多目的歩行者本位立体駐車場と、これに併設する多層多目的ライナー・ビルディングと、多目的歩行者本位立体駐車場の外側の目的地との間により人間工学的な関係を提供し、それにより、駐車場とその駐車場を使用する個々の旅行者の目的地との間により良い歩行者のアクセスを提供するものである。
【発明の開示】
【課題を解決するための手段】
【０００４】
前記創意的な多目的歩行者本位立体駐車場は、それぞれ幅９０から１１５フィートで長さ約２００フィートの少なくとも２つの駐車場部分またはそれらの半分を有する。一般に奥行き２０から９０フィートの多目的使用構造であるライナー・ビルディングが、前記駐車場の２若しくはそれ以上の部分の１若しくはそれ以上の側面を囲み、大規模な歩行活動を促す状況を提供する。面白く、便利で、安全で、且つ快適なスペースを人々が歩むように魅了し刺激する色、香り、音、形、デザイン、および趣が、通りまたは混合モード歩行者本位通路に沿った１階に、あるいは前記駐車場部分の間またはそれに沿った複数層歩行者通路に、および他の建物の周囲に沿った他の場所に位置付けられ、周囲建物および歩行者移動の必要性と調和して、雨、太陽、熱、寒さ、風、または雪からの保護を提供する。主な用途として、歩行者あるいは混合モード通路は、前記多目的ライナー・ビルディング建物部分の間に提供される。また、小売およびその他に使用の歩行者通路は、駐車場の主軸（ｍａｊｏｒ  ａｘｉｓ）を部分または半分に分け、中央コートヤードに通じる屋内歩行者通路（ｚａｑｕａｎ）を提供し、その後、前記駐車場構造の残り半分の部分を通り、本発明の多目的歩行者本位立体駐車場施設の反対側に通じる。
【０００５】
従って、本発明の目的は、車と、周囲のライナー・ビルディングと同様の高さの立体駐車場および階数の歩行者出入口との間に直接幾何学的且つ人間工学的な関係を有する多階層建物と立体駐車場とを提供することである。
【０００６】
別の目的は、ライナー・ビルディングを前記多目的歩行者本位立体駐車場の一部として提供し、前記建物の居住者およびビジネス占有者にとって、前記建物内の駐車中の車と目的地との間の距離を最小限度にできるようにすることである。
【０００７】
本発明のさらに別の目的は、上記タイプの前記多目的歩行者本位立体駐車場を提供し、その内部において自然光を最大限に利用して、駐車区域と前記目的地の建物との間の視界を高めることである。
【０００８】
さらに別の目的は、車および配達車が車両出口と交差しないで前記多目的歩行者本位立体駐車場複合施設に進入できるようにするのに十分な上記タイプの立体駐車場を提供することである。
【０００９】
さらに別の目的は、この立体駐車場内で、充分な回転半径、斜め駐車、縦列駐車、および隣接する立体駐車場への横断を提供することである。
【００１０】
さらに別の目的は、前記多目的歩行者本位立体駐車場全体を通して、および上昇、下降の両方および立体駐車場の外側への前記多目的歩行者本位立体駐車場の出入口において歩行者の流れと自動車との衝突を減少させることである。
【００１１】
本発明の別の目的は、前記立体駐車場内の自然の空気の品質を高めるために、前記駐車複合施設に進入、駐車、および出て行く車から排出されるガスおよび煤煙を放出できる駐車場複合施設を提供することである。
【００１２】
本発明のさらに別の目的は、前記ライナー・ビルディングの居住者およびビジネス占有者が、前記立体駐車場内の前記駐車区域付近を簡単に清掃または洗浄することができる上記タイプの複合施設を提供することである。
【００１３】
本発明のさらに別の目的は、ライナー・ビルディングおよび立体駐車場の全域において歩行環境を高めることであり、これにはその主軸（ｍａｊｏｒ  ａｘｉｓ）、その短軸、（ｍｉｎｏｒ  ａｘｉｓ）およびその周囲を含むものである。
【００１４】
本発明の別の目的は、前記多目的歩行者本位立体駐車場の中央においてと同様、前記駐車場部分と前記ライナー・ビルディングとの連絡部分および前記ライナー・ビルディングの周囲に沿って、成長する木または他の観葉植物を使用することができるようにすることである。
【００１５】
本発明の別の目的は、前記多目的歩行者本位立体駐車場内または前記複合施設、歩行者本位駐車場およびライナー・ビルディング複合施設の1つの側面と歩行者本位コミュニティに悪影響を与える交通、工業、飛行場、またはその他の騒音発生源との間に、若しくは外部環境に防音壁を提供することである。
【００１６】
本発明の上記およびその他の目的と利点は、以下に提示する図面の簡単な説明および発明を実施するための最良の形態から明らかになるであろう。
【発明を実施するための最良の形態】
【００１７】
前記多目的歩行者本位構造の複数層駐車場は複数の部分を有する。具体的には、第１の部分または駐車場ユニット２００（図１〜４の立体駐車場を参照）は、入口２１３から前記複合施設に進入し、一方向上昇ランプ２２２を通って、その２階、３階、またはそれ以上の階に到達するように使用される。前記立体駐車場の第２の部分または駐車場ユニット２０２は、一方向下降ランプ２１９を通って、出口エリア２１７で前記立体駐車場２１６を出る。部分２００と２０２との間の自動車横断路２０４が前記複合施設を連絡し、車および配達用トラック２０３が前記部分２００の前記入口と上昇ランプ２２２部分から、同じような立体駐車場２０２の下降ランプ２１９と出口エリア２１７に移動できるようにする。前記自動車横断路２０４は典型的には３階にあり（図３を参照）、２階の多目的横断路２０８が、前記部分２００と２０２を、およびそれぞれのライナー・ビルディング２１０と２１２を高架構造で連絡することを可能にし、１階の横断路若しくは混合モード通路２０６、または前記２階の多目的横断路２０８の何れかで、歩行者が前記創意的な多目的歩行者本位立体駐車場の１つの部分から他の部分に歩行する際に、歩行者２０５を太陽、雪、熱、寒さ、風、及び雨から保護する。
【００１８】
図１〜３を参照すると、ライナー・ビルディング２１０内部の駐車場部分２１６はその周囲に縦列駐車２２７を提供し、これは歩行者通路、ブリッジ、および入口プラットホーム２４２(図５を参照)によって必要に応じて遮断され、居住者、訪問者、ビジネス被雇用者、及びその顧客や配達業者が、駐車場２１６と前記ライナー・ビルディング２１０との間の連絡を有する、周囲２２４に設置された裏口２４０（図５を参照）へアクセスするための場所を提供する。さらに、斜め駐車２２６が、前記駐車場の第１の部分２００の駐車場２１６中央の空間或いはアトリウム２２８を囲む。図１の実施形態で留意したように、前記駐車場内部での走行は一方向（矢印を参照）で、車および配達トラックに対して充分な幅（最大１８フィートまで）と高さ（１４〜１８フィートの範囲）を提供する。前記立体駐車場の１階に、中央サービスまたは積みおろしプラットホーム施設を組み込むこともできる２３０（図３を参照）。さらに図１を参照すると、前記第１のライナー・ビルディング２１０および第２のライナー・ビルディング２１２の外側には、前記ライナー・ビルディング２１０の周囲を囲むアーケード、日よけ、バルコニー、および屋根オーバーハング２４１が示されている。
【００１９】
さらに図１には、緩衝通路２３２が示めされており、その中にＨＶＡＣ２３３およびその他の環境のための施設を配置することもできる。図２には、歩行者用地上スペース２１５は、複数層駐車場の部分２００と２０２との間に位置している、好ましくは１階の歩行者本位通路である。
【００２０】
図２で示しているのは、図１の実施形態の入口２１３と出口２１７との関係であり、これは、前記駐車場のそれぞれの上昇部と下降部を連絡する前記自動車横断路２０４を含む。このシステムは、図３の垂直軸方向断面図に示されている。前記システムの前記ランプ構造は図４に示されており、これは図３の線４−４に沿った垂直断面図である。
【００２１】
得られた立体駐車場は、隣接ライナー・ビルディングへアクセスする後部ドア或いは裏口を提供することにより歩行者活動を促進し、さらに屋内歩行者アクセス通路２１４、アーケード２４１、覆われた横断歩道或いは混合モード通路２０６、および多目的横断路２０８を提供して、前記多目的歩行者本位立体駐車場の構成部分間および全体へのアクセスを歩行者に提供する。
【００２２】
出願人に与えられた米国特許第６，５６１，７２７号「Ｅｒｇｏｎｏｍｉｃ  Ｈｙｂｒｉｄ  Ｔｒａｎｓｉｔ  Ａｃｃｅｓｓ  Ｃｏｒｒｉｄｏｒ」に記載にされているように、前記多目的歩行者本位立体駐車場は車での移動を歩行の移動に効果的に変換することにより交通量を吸収するようにデザインされており、これは交通渋滞を排除し、輸送システム（トランジット）およびその他の輸送機関へのインターモデル歩行者アクセスを改善し、且つ公共広場および歩行者或いは混合モード通路および通り（街路）を水平コンポーネントとして形作る。これらの公共スペース（広場および通路）内で、小型輸送システム（小型トランジット）、駐車場往復便、および地域巡回車が、駐車施設を１〜４平方マイル内の目的地とより効果的に連絡を助け、且つ多目的歩行者本位立体駐車場と共に、全体として、都市社会内のインターモデル移動を改善する歩行者本位デザインおよびトランジット・アクセスシステムを構成する。
【００２３】
上記は、２０フィートから９０フィートの長さのライナー・ビルディングの側板（シュラウド）内部に自動車を駐車するためおよびインテリアデザインの要素を組み入れるためのより良い方法を定義することにより、多目的ライナー・ビルディングの顧客、訪問者、および居住者に交通の便、空気、光、および安全をより良く提供する駐車スペースを設置する多目的歩行者本位立体駐車場を生成する。
【００２４】
本発明ではまた、駐車フロア２１６の外縁に沿って前記縦列駐車スペース２２６と、前記中央の前記斜め駐車スペース２２６と、一般に長方形状で非常に狭い駐車場施設の中央軸に沿った前記中央通風孔／光井若しくはアトリウム２２８と、さらに任意で多目的歩行者本位立体駐車場の駐車とライナー・ビルディングコンポーネントとの間に前記通風孔／光井またはアトリウム２２８とを提供する。従って、一方向走行通路或いは駐車場アクセス通路（図１の矢印を参照）は、３階の自動車横断路２０４で対応する対（つい）の若しくは複数の駐車場を構築し、小売、レストラン、または多目的活動用の２階多目的横断路２０８と構造的に統合し、地上歩行者横断路および混合モード通路２０６のブロック中央に覆いを提供する。前記ガレージの狭い幅（約９０〜１１５フィート）により、構造的支柱２１８を前記駐車場の周囲または通風孔／光井若しくはアトリウム内部２２８に移動させることができ、これにより駐車場内が陰になるのを避け、ユーザの安全性を向上させる。そのような駐車場の特徴の狭さは、前記ライナー・ビルディング使用の用途をより容易にし、小売スペース、事務所スペースおよび他の商業的または居住的使用スペース、および典型的な街区寸法に必要なスペースを与える。
【００２５】
図５は、前記ライナー・ビルディングの裏口を図示している。
【００２６】
図６は、図２の複数グループの駐車場を使用する代替見取図である。
【００２７】
図７は、駐車場２００および２０２と上述のライナー・ビルディングとからなるグループを相当数使用して、例えば市役所、美術館、競技場、スタジアム、またはその他のスポーツ施設、文化センター、および他の大きな公共施設、公園、マーケット、教会、劇場、教育またはヘルスケア施設、および図書館などの公共的に重要な建物を含む特定共有スペース２６０を囲む、または街全体あるいは繁華街若しくは同種のものを囲む方法を示している。
【００２８】
当然のことながら、ライナー・ビルディング２１０および２１２はすべて、充分な奥行きと可変の幅を有するので、小さな小売スペース、新規事業のための事務局スペースおよび手ごろな値段の住宅スペースの必要と要求に容易に応じることができるものである。ＵＳ  ＤＯＴ、ＨＵＤ、およびＳＢＡからの資金源は、いくつかの個人／公共の事業の将来性に（資本）参加する見込みのあるほんの数例である。前記立体駐車場２１６に隣接した裏口、バルコニー、屋外階段、窓、前記アトリウム或いは通風孔／光井２２８、およびライナー・ビルディングのコンポーネントは、駐車場域および裏口プラットフォーム２４２の中へまたはそこから便利で、安全、面白く、快適な眺めを提供し、さらに駐車中の車に有用な間隔スペースを提供し、居住者、顧客、顧客、およびライナー・ビルディング住所への荷物配送サービスのアクセスを容易にする。このようなデザイン戦略は、自動車本位の大型駐車場とは対照的に、安全で、快適、便利で面白い居住可能な空間を効果的に形成し、さらに歩行者本位の３次元通路を効果的に形成する。
【００２９】
本発明のより好適な実施形態を表示して説明してきたが、当然のことながら、本発明はここで特に示して説明されたものと異なった形態で実施することもでき、また前記実施形態内で、ここに記載の本発明の根本的なアイデアまたは原則から逸脱することなしに前記部分の形態または配置に関して一部の変更を行うことができるものである。
【図面の簡単な説明】
【００３０】
【図１】図１は、多目的歩行者本位立体駐車場の典型的なフロアの水平上面図であり、図３の線１−１に沿った図である。
【図２】図２は、一般歩行者用１階スペースについて図１に示したタイプの複数層駐車場−ライナー・ビルディング構造の使用を示す水平概略図であり、図３の線２−２に沿った図である。
【図３】図３は、図２の線３−３に沿った主軸方向垂直断面図である。
【図４】図４は、図３の線４−４に沿った垂直断面図である。
【図５】図５は、ライナー・ビルディングへの裏口の入口を示す多目的歩行者本位立体駐車場の上昇ランプの詳細である。
【図６】図６と７は、図１〜３に示したタイプの多目的歩行者本位立体駐車場の一組（ペア）の間の潜在的な関係を示した概念図である。
【図７】図６と７は、図１〜３に示したタイプの多目的歩行者本位立体駐車場の一組（ペア）の間の潜在的な関係を示した概念図である。
【図１】
0004541154.tif 000002
【図２】
0004541154.tif 000003
【図３】
0004541154.tif 000004
【図４】
0004541154.tif 000005
【図５】
0004541154.tif 000006
【図６】
0004541154.tif 000007
【図７】
0004541154.tif 000008